(57)【要約】【課題】  簡単な機構で中間転写体上の複数色のトナー像が感光体に逆転写することを防止し、安定した画像濃度を得ることができる画像形成装置を提供する【解決手段】  感光体１上に形成された複数色のトナー像を１次転写位置６ａにおいて中間転写体５に順に転写し、中間転写体５に転写された複数色のトナー像を転写材Ｐに転写する画像形成装置において、複数色のトナー像が転写された中間転写体５が、再度感光体１から転写されることなく１次転写位置６ａを通過する場合に、中間転写体５に転写された複数色のトナー像の高さを制御する制御装置２０を備えた。【選択図】          図１
2007086382.tif 000002
【特許請求の範囲】
【請求項１】
感光体上に形成された複数色のトナー像を転写位置において中間転写体に順に転写し、前記中間転写体に転写された複数色のトナー像を転写材に転写する画像形成装置において、
前記複数色のトナー像が転写された中間転写体が、再度前記感光体から転写されることなく前記転写位置を通過する場合に、前記中間転写体に転写された複数色のトナー像の高さを制御する制御部を備えたことを特徴とする画像形成装置。
【請求項２】
前記制御部は、前記感光体上に複数色毎の静電潜像を順次形成することにより前記複数色のトナー像を前記感光体上に順次形成可能にする潜像形成装置を、前記中間転写体上に転写された前記複数色のトナー像が重なり合う部分の面積が、通常の動作をするときよりも小さくなるように制御することを特徴とする請求項１に記載の画像形成装置。
【請求項３】
前記中間転写体は、前記感光体に接して駆動するベルト状を成し、
前記制御部は、前記中間転写体に内接して外側方向に移動可能な駆動部材を、前記中間転写体の外側方向に移動させるように制御することを特徴とする請求項１に記載の画像形成装置。
【請求項４】
前記制御部は、前記中間転写体に熱を供給する熱供給装置を、前記中間転写体に熱源を供給するように制御することを特徴とする請求項１に記載の画像形成装置。
【請求項５】
前記熱源供給装置は、前記中間転写体に内接するローラ内に格納されたヒータであることを特徴とする請求項４に記載の画像形成装置。
【請求項６】
感光体上に形成された複数色のトナー像を転写位置において中間転写体に順に転写し、前記中間転写体に転写された複数色のトナー像を転写材に転写する画像形成装置において、
前記複数色のトナー像が転写された中間転写体が、再度前記感光体から転写されることなく前記転写位置を通過する場合に、前記中間転写体の周速と前記感光体の周速との差が通常の動作をするときよりも小さくなるように制御する制御部を備えていることを特徴とする画像形成装置。
【請求項７】
感光体上に形成された複数色のトナー像を転写位置において中間転写体に順に転写し、前記中間転写体に転写された複数色のトナー像を転写材に転写する画像形成装置において、
前記複数色のトナー像が転写された中間転写体が、再度前記感光体から転写されることなく前記転写位置を通過する場合に、複数色のトナー像を前記感光体に順次形成する現像ロータリーユニットを、ユーザが選択したトナー像を最後に前記感光体上に形成するように制御する制御部を備えていることを特徴とする画像形成装置。
【発明の詳細な説明】
【技術分野】
【０００１】
本発明は、画像形成装置に関する。
【背景技術】
【０００２】
従来から、中間転写体に４色のトナー像を１次転写した後に、紙種などにより変化する定着速度に対応するために、再度中間転写体上のトナー像を１次転写位置を通過させることにより２次転写のタイミングを制御していた。しかし、再度中間転写体上のトナー像が１次転写位置を通過する場合、中間転写体上のトナー像が感光体へ逆転写される場合がある。この結果、中間転写体上のトナー像濃度が低下するため、画像の濃度が低下し画質が劣化するという問題があった。
【０００３】
特許文献１及び特許文献２には、この逆転写の現象を防止する技術が開示されている。特許文献１には、中間転写体に転写されたトナー像が第１の転写位置を通過するときに１次転写ローラを介して電源により中間転写体に印加される電圧を、感光体から中間転写体にトナー像を１次転写するときに１次転写ローラを介して電源により中間転写体に印加される電圧よりも大きくなるように制御することにより、この逆転写の現象を防止する技術が開示されている。また、特許文献２には、各感光体のうちの、１次転写直前の画像形成に関与しない感光体の表面と中間転写体上のトナーとの間で放電が生じないように、感光体の表面電位と、１次転写電界による中間転写体の表面電位との電位差を制御することにより、この逆転写の現象を防止する技術が開示されている。
【０００４】
一方、この逆転写の現象は、中間転写体上のトナー像が１次転写位置を通過する際における中間転写体から感光体への押し付け力によっても影響する。従って、中間転写体から感光体への押し付け力を制御することにより、この逆転写の現象を防止することができる。例えば、感光体に形成されたトナー像を中間転写体に転写する一次転写ロールを、中間転写体に対して接離可能にするリトラクト機構を設けることにより、力学的に作用により感光体へ逆転写することを防止することは可能である。
【０００５】
【特許文献１】特開２０００−１０４１６
【特許文献２】特開２００２−３５７９３９
【発明の開示】
【発明が解決しようとする課題】
【０００６】
しかし、上述のように電気的な作用により中間転写体上のトナー像が感光体に逆転写することを防止しようとすると、電圧などの制御が複雑化するという問題がある。一方、リトラクト機構を設けるとすると、画像形成装置が大型化するとともに、リトラクト動作のタイミングなどの制御についても複雑化するという問題がある。また、画像形成装置の製造コストも上がるという問題もある。
【０００７】
そこで、本発明は、上記問題点に鑑みてなされたものであり、簡単な機構で中間転写体上の複数色のトナー像が感光体に逆転写することを防止し、安定した画像濃度を得ることができる画像形成装置を提供することが目的である。
【課題を解決するための手段】
【０００８】
上記目的は、感光体上に形成された複数色のトナー像を転写位置において中間転写体に順に転写し、前記中間転写体に転写された複数色のトナー像を転写材に転写する画像形成装置において、前記複数色のトナー像が転写された中間転写体が、再度前記感光体から転写されることなく前記転写位置を通過する場合に、前記中間転写体に転写された複数色のトナー像の高さを制御する制御部を備えた画像形成装置によって達成できる。
【０００９】
中間転写体に転写された複数色のトナー像の高さを制御することにより、中間転写体に転写された複数色のトナー像に対する感光体からの力学的な作用を制御することができ、簡単な機構で中間転写体上のトナー像が感光体へ逆転写することを防止できる。これにより安定した画像濃度を得ることができる。
【００１０】
また、前記制御部は、前記感光体上に複数色毎の静電潜像を順次形成することにより前記複数色のトナー像を前記感光体上に順次形成可能にする潜像形成装置を、前記中間転写体上に転写された前記複数色のトナー像が重なり合う部分の面積が、通常の動作をするときよりも小さくなるように制御する画像形成装置によっても達成できる。
【００１１】
複数色のトナー像が重なり合う部分の面積を小さくすることにより、複数色のトナー像が重なりある部分の高さを、通常の動作をするときよりも低くすることができる。従って、感光体からの中間転写体上の複数色のトナー像に対する押し付け力も減少するので、中間転写体上のトナー像が感光体へ逆転写することを防止できる。
【００１２】
また、前記中間転写体は、前記感光体に接して駆動するベルト状を成し、前記制御部は、前記中間転写体に内接して外側方向に移動可能な駆動部材を、前記中間転写体の外側方向に移動させるように制御する画像形成装置によっても達成できる。
【００１３】
この構成により、ベルト状を成す中間転写体の張力が増加する。これにより、中間転写体に転写された複数色のトナー像にも張力が影響し、中間転写体上のトナー像の高さを低くすることができる。トナー像の高さを低くすることにより、感光体からの中間転写体上の複数色のトナー像に対する押し付け力も減少する。従って、中間転写体上のトナー像が感光体へ逆転写することを防止できる。
【００１４】
また、前記制御部は、前記中間転写体に熱を供給する熱供給装置を、前記中間転写体に熱源を供給するように制御する画像形成装置によっても達成できる。
【００１５】
中間転写体に熱を供給することにより、中間転写体上の複数色のトナー像が熱により溶け出し、トナー像の高さを低くすることができる。これより、中間転写体上のトナー像の感光体に対する押し付け力も減少するので、中間転写体上のトナー像が感光体へ逆転写することを防止できる。
【００１６】
また、前記熱源供給装置は、前記中間転写体に内接するローラ内に格納されたヒータである画像形成装置によっても達成できる。
【００１７】
これにより、中間転写体上のトナー像に熱を効率よく伝えることができる。
【００１８】
また、上記目的は、感光体上に形成された複数色のトナー像を転写位置において中間転写体に順に転写し、前記中間転写体に転写された複数色のトナー像を転写材に転写する画像形成装置において、前記複数色のトナー像が転写された中間転写体が、再度前記感光体から転写されることなく前記転写位置を通過する場合に、前記中間転写体の周速と前記感光体の周速との差が通常の動作をするときよりも小さくなるように制御する制御部を備えている画像形成装置によっても達成できる。
【００１９】
中間転写体の周速と感光体の周速との差を小さくすることにより、中間転写体上の複数色のトナー像が受ける感光体からの周方向の力学的な作用を減少させることができる。従って、簡単な機構で中間転写体上の複数色のトナー像が感光体へ逆転写することを防止でき、安定した画像濃度を得ることができる。
【００２０】
また、上記目的は感光体上に形成された複数色のトナー像を転写位置において中間転写体に順に転写し、前記中間転写体に転写された複数色のトナー像を転写材に転写する画像形成装置において、前記複数色のトナー像が転写された中間転写体が、再度前記感光体から転写されることなく前記転写位置を通過する場合に、複数色のトナー像を前記感光体に順次形成する現像ロータリーユニットを、ユーザが選択したトナー像を最後に前記感光体上に形成するように制御する制御部を備えている画像形成装置によっても達成できる。
【００２１】
これにより、中間転写体は、複数色のトナー像を感光体から順次重ねて転写されるので、中間転写体に最後に転写されるトナーは、ユーザが選択したトナーとなる。従って、例えば、複数色のトナーのうち粒径が最小のトナーをユーザやサービスマンが把握していた場合には、そのトナーを中間転写体に最後に転写するように設定する。中間転写体に最後に転写されるトナーは、感光体からの押し付け力の影響を最も受けやすいため感光体に逆転写しやすい。このため、中間転写体に最後に転写されるトナーの粒径が最小の場合は、感光体へ逆転写を防止することができる。従って、簡単な機構で中間転写体上の複数色のトナー像が感光体に逆転写することを防止しすることができる。
【発明の効果】
【００２２】
本発明によれば、簡単な機構で中間転写体上の複数色のトナー像が感光体に逆転写することを防止し、安定した画像濃度を得ることができる画像形成装置を提供することができる。
【発明を実施するための最良の形態】
【００２３】
以下、本発明を実施するための最良の形態について説明する。
【００２４】
図１は、本発明に係る画像形成装置の構成図である。画像形成装置は、感光体１、帯電ローラ２、潜像形成装置３、現像ロータリーユニット４、中間転写体５、駆動ローラ７ａ、従動ローラ７ｂ、７ｃ、１次転写ローラ８、高圧電源９、１２、クリーニング装置１０、２次転写ローラ１１、制御装置２０とから構成される。
【００２５】
感光体１は、矢印の方向に回転駆動され、その表面に帯電ローラ２により一様に帯電される。次に潜像形成装置３からレーザビーム３ａによる露光が施され、第１の静電潜像が形成される。このように形成された静電潜像は、現像ロータリーユニット４により、現像、可視化される。
【００２６】
現像ロータリーユニット４は、トナーの色が異なる複数の現像装置４ａ、４ｂ、４ｃ、４ｄを備える。この現像装置４ａ、４ｂ、４ｃ、４ｄは、各々現像スリーブを有し、イエロートナーが内包された第1の現像装置４ａ、マゼンタトナーが内包された第２の現像装置４ｂ、シアントナーが内包された第３の現像装置４ｃ、ブラックトナーが内包された第４の現像装置４ｄを一体化した構成となっており、まず上記静電潜像は、第１色目のトナーとしてイエロートナーが内包された第１の現像装置４ａにより現像、可視化される。これらのトナーの正規の極性は負極性である。
【００２７】
可視化された感光体１上のイエロートナー像は、矢印の方向に回転駆動され、ベルト状を成す中間転写体５と対向する第１次転写位置６ａにおいて、中間転写体５表面に静電転写（１次転写）される。そしてこの中間転写体５は、駆動ローラ７ａ、従動ローラ７ｂ、７ｃにより支持されるとともに、上記感光体１に対して１次転写ローラ８により所定の押圧力をもって圧接されつつ、感光体１の周速度と略等速の周速度をもって感光体１の回転方向に対して順方向に回転駆動される。そして、上記のように感光体１表面に形成されたトナー像は、上記１次転写ローラ８に対して、高圧電源９により、トナーの正規の帯電極性とは逆極性の電圧（１次転写バイアス）が印加されることにより、中間転写体５表面に静電転写（1次転写）される。尚、１次転写が終了した感光体１表面に若干量残存する１次転写残トナーは、クリーニング装置１０により除去される。
【００２８】
上記工程を３回繰り返し、その都度、マゼンタトナーにより現像されたマゼンタトナー像、シアントナーにより現像されたシアントナー像、ブラックトナー像により現像されたブラックトナー像が順次中間転写体５表面に転写、積層される。その後、中間転写体５表面に対して離間状態にあった２次転写ローラ１１が所定の押圧力をもって中間転写体５を介して従動ローラ７ｃに圧接、回転駆動される。上記２次転写ローラ１１に対しては、高圧電源１２により、トナーの正規の帯電極性とは逆極性の電圧（２次転写バイアス）が印加されることにより、第２次転写位置６ｂに所定のタイミングで搬送されてくる転写材Ｐ表面に、中間転写体５表面に順次、積層して形成されたトナー像が一括転写（２次転写）され、この転写材Ｐは不図示の定着装置へと搬送され、永久画像として定着された後、機外へと排出される。
【００２９】
制御装置（制御部）２０は、図２に示すように、ＣＰＵ（Central  Processing  Unit）２０１、ＲＯＭ（Read  Only  Memory）２０２、ＲＡＭ（Random  Access  Memory）２０３等のハードウェア、所要のソフトウェアにより実現される。また、制御装置２０は、出力インターフェース２０４、入力インターフェース２０５を備える。制御装置２０は、本発明に係る画像形成装置全体の制御を行う。また、制御装置２０は、出力インターフェース２０４、入力インターフェース２０５を介して、各種装置に情報を送信し、各種装置の機能を起動させることができる。
【００３０】
制御装置２０は、複数色のトナー像が転写された中間転写体５が、再度感光体１から転写されることなく１次転写位置６ａを通過する場合に、中間転写体５に転写された複数色のトナー像の高さを制御する。詳しくは後述する。
【００３１】
次に、制御装置２０の処理内容の一例について、図３乃至図６を参照して説明する。図３は、複数色のトナー像が転写された中間転写体が、再度感光体から転写されることなく、感光体からトナー像を転写された位置を通過するときの処理の一例を示すフローチャートである。
【００３２】
制御装置２０は、複数色のトナー像が重ねて転写された中間転写体５が１次転写位置６ａを通過するプリント動作かどうかを判定する（ステップＳ１０１）。その中間転写体５が１次転写位置６ａを通過しないプリント動作の場合は（ステップＳ１０１でＮｏ）、制御装置２０は、各装置に指令を出して中間転写体への１次転写を実行させる（ステップＳ１０２）。そして、中間転写体に全てのトナー像が転写されると、制御装置２０は、通常のシーケンスを実行させ（ステップＳ１０３）、処理を終了する。即ち、中間転写体５上のトナー像が転写材Ｐに２次転写され、転写材Ｐは不図示の定着装置へと搬送され、永久画像として定着された後、機外へと排出される。
【００３３】
複数色のトナー像が重ねて転写された中間転写体５が１次転写位置６ａを通過するプリント動作の場合は（ステップＳ１０１でＹｅｓ）、制御装置２０は、第１の逆転写防止シーケンスを実行させる（ステップＳ１０４）。第１の逆転写防止シーケンスの詳細については、以下に説明する。
【００３４】
第１の逆転写防止シーケンスとして、潜像形成パターンを変更する処理について、図４を参照して説明する。具体的には、制御装置２０は、感光体１上に複数色毎の静電潜像を順次形成することにより複数色のトナー像を感光体１上に順次形成可能にする潜像形成装置３を、中間転写体５上に転写された複数色のトナー像が重なり合う部分の面積が通常の動作するときよりも小さくなるように制御する。図４の（ａ）は、通常の作動時に中間転写体５上に転写された各色のトナー像の重なり合いを示した図である。図４の（ｂ）は、潜像形成パターンを変更する処理を行った場合の各色のトナー像の重なり合いを示した図である。図４の（ａ）と比較して、図４の（ｂ）でのイエロートナー４０ａ、マゼンタトナー４０ｂ、シアントナー４０ｃ、ブラックトナー４０ｄの重なり合う部分の面積が小さい。制御装置２０は、このように各トナーの重なり合う部分の面積が小さくなるように潜像形成装置３を制御する。複数色のトナー像が重なり合う部分の面積を小さくすることにより、複数色のトナー像が重なりある部分の高さを、通常の動作をするときよりも低くすることができる。従って、感光体１からの中間転写体５上の複数色のトナー像に対する押し付け力も減少するので、簡単な機構で中間転写体５上のトナー像が感光体１へ逆転写することを防止できる。尚、通常の動作をするときとは、複数色のトナー像が転写された中間転写体５が、再度１次転写位置６ａを通過することなく、転写材Ｐにトナー像を転写する場合である。
【００３５】
次に、第１の逆転写防止シーケンスとして、ユーザが選択したトナーを最後に感光体１上に形成する処理について図５を参照して説明する。具体的には、制御装置２０は、複数色のトナー像を感光体１に順次形成する現像ロータリーユニット４を、ユーザが選択したトナーに基づくトナー像を最後に感光体１上に形成するように制御する。例えば、複数色のトナーのうち粒径が最小のトナーをユーザやサービスマンが把握していた場合には、そのトナーを中間転写体５に最後に転写するように設定する。中間転写体５に最後に転写されるトナーは、感光体１からの押し付け力の影響を最も受けやすいため感光体１に逆転写しやすい。このため、中間転写体５に最後に転写されるトナーの粒径が最小の場合は、感光体１へ逆転写を防止することができる。
【００３６】
例えば、図５の（ａ）は、通常の作動時での中間転写体５上でのトナー像の重なりを示した図である。通常の作動時には、イエロートナー４０ａ、マゼンタトナー４０ｂ、シアントナー４０ｃ、ブラックトナー４０ｄの順に中間転写体５に転写される。ここで、マゼンタトナー４０ｂの粒径が最小であるとする。ユーザ等が複数色のトナーのうち粒径が最小のトナーがマゼンタトナー４０ｂであると把握していた場合は、ユーザはマゼンタトナー４０ｂが最後に感光体１上に形成されるように設定する。尚、この際の設定は、画像形成装置に設けられたタッチパネルなどによりユーザやサービスマンが設定できるものとする。図５の（ｂ）は、マゼンタトナー４０ｂが最後に感光体１上に形成されるように設定した場合の、トナー像の重なりを示した図である。このように、中間転写体５に最後に転写されるトナーの粒径が最小の場合は、感光体１へ転写を防止することができる。従って、簡単な機構で中間転写体５上の複数色のトナー像が感光体に逆転写することを防止しすることができる。
【００３７】
尚、上記に第１の逆転写防止シーケンスとして、潜像形成パターンを変更する処理と、ユーザが選択したトナーを最後に感光体１上に形成する処理とを説明したが、上記処理のうち何れか一方のみを実行してもよいし、双方の処理を実行してもよい。
【００３８】
次に、制御装置２０は、１次転写が終了したかどうかを判定する（ステップＳ１０５）。１次転写が終了していない場合（ステップＳ１０５でＮｏ）は、再度ステップＳ１０４に戻り、第１の逆転写防止シーケンスを実行する。１次転写が終了した場合（ステップＳ１０５でＹｅｓ）は、制御装置２０は、第２の逆転写防止シーケンスを実行させる（ステップＳ１０６）。第２の逆転写防止シーケンスの詳細については、以下に説明する。
【００３９】
第２の逆転写防止シーケンスとして、中間転写体５に熱を供給する処理について図６を参照して説明する。図６は、中間転写体５に熱を供給する熱供給装置の構成を示した断面図である。この熱供給装置は、中間転写体５に内接する駆動ローラ７ａ内に格納されたヒータ７４である。
【００４０】
駆動ローラ７ａは、アルミニウムで形成された芯金７３にシリコーンゴムの弾性層７２を設け、さらにこのシリコーンゴムの弾性層７２の表面にＰＦＡ等のフッ素樹脂層７１が形成されている。芯金７３の内部にはハロゲンランプ等のヒータ７４が配置されている。制御装置２０はヒータ７４が加熱するように制御して、中間転写体５に熱を供給することにより、中間転写体５上の複数のトナー像にも熱が伝達する。熱が伝達することにより、トナー像が溶け出しトナー像の高さが低くなる。これにより、中間転写体５上のトナー像の感光体１に対する押し付け力も減少するので、中間転写体５上のトナー像が感光体１へ逆転写することを防止できる。尚、制御装置２０からの制御信号に基づいて中間転写体５に熱を供給する装置は、上記の構成に限定されない。従って、従動ローラ７ｂ、７ｃの内部にヒータを設けてもよい。
【００４１】
次に、第２の逆転写防止シーケンスとして、中間転写体５の張力を増加させる処理について図７ないし図９を参照して説明する。図７、図８に示すように、駆動ローラ（駆動部材）７ａは、中間転写体５に内接して外側方向に移動可能である。また、駆動ローラ７ａには、駆動ローラ７ａを矢印の方向に移動させることが可能な移動装置７０が設けられている。図８の（ａ）は、駆動ローラ７ａを移動させる前の図である。図８の（ｂ）は、駆動ローラ７ａを移動させた後の図である。この移動装置７０は、駆動ローラ７ａを平行に維持したまま矢印の方向に移動させることができる。駆動ローラ７ａは、中間転写体５を押上げるように移動することが可能であり中間転写体５を押上げるときに中間転写体５に内接して駆動する。制御装置２０は、駆動ローラ７ａを、中間転写体５を押上げるように制御する。これにより、中間転写体５の張力が増加する。中間転写体５の張力が増加することにより、中間転写体５に転写されたトナー像にも張力が影響し、中間転写体５上のトナー像の高さを低くすることができる。従って、中間転写体５上のトナー像が感光体１へ逆転写することを防止できる。尚、従動ローラ７ｂ、７ｃに中間転写体の張力が増加する方向に移動可能な装置を設けるようにしてもよい。
【００４２】
また、図９に示すように、中間転写体５の張力を増加させるための専用のローラ（駆動部材）７１ａを設けてもよい。ローラ７１ａは、中間転写体５を押上げるように矢印方向に移動することが可能である。また、ローラ７１ａは、中間転写体５を押上げるときに中間転写体５に内接して駆動するので、この場合にも中間転写体５上のトナー像が感光体１へ逆転写することを防止できる。
【００４３】
次に、第２の逆転写防止シーケンスとして、中間転写体５の周速と感光体１の周速との差が小さくなるように制御する処理について説明する。制御装置２０は、中間転写体５の周速と感光体１の周速との差が通常の動作をするときよりも小さくなるように制御する。詳細には、制御装置２０は、中間転写体５を駆動する駆動装置（不図示）及び感光体１を駆動する駆動装置（不図示）のうち少なくとも一方を制御することにより、中間転写体５の周速と感光体１の周速との差が通常の動作をするときよりも小さくする。中間転写体５上のトナー像が受ける感光体１からの周方向の力学的作用を減少させることができるので、簡単な機構で中間転写体５上のトナー像が感光体１へ逆転写することを防止できる。尚、通常の動作をするときとは、全色のトナー像が転写された中間転写体５が、再度転写位置６ａを通過することなく、転写材Ｐにトナー像を転写する場合である。中間転写体５を駆動する駆動装置及び感光体１を駆動する駆動装置は、モータ等から構成される。
【００４４】
尚、第２の逆転写防止シーケンスとして、中間転写体５に熱を供給する処理と、中間転写体５の張力を増大させる処理と、中間転写体５の周速と感光体１の周速との差が小さくなるように制御する処理とを説明したが、上記処理のうち１つの処理のみを実行してもよいし、複数の処理を実行してもよい。また、第１の逆転写防止シーケンスと、第２の逆転写防止シーケンスとのうち、一方のみを実行してもよいし、双方のシーケンスを実行してもよい。
【００４５】
次に、制御装置２０は、中間転写体５が１次転写位置６ａを通過したかどうか判定する（ステップＳ１０７）。中間転写体５が１次転写位置６ａを通過していない場合は（ステップＳ１０７でＮｏ）、再度ステップＳ１０６に戻り、制御装置２０は、第２の逆転写防止シーケンスの処理を継続する。中間転写体５が１次転写位置６ａを通過した場合は（ステップＳ１０７でＹｅｓ）、制御装置２０は、通常のシーケンスを実行させて（ステップＳ１０３）、処理を終了する。
【００４６】
以上本発明の好ましい実施例について詳述したが、本発明は係る特定の実施例に限定されるものではなく、特許請求の範囲に記載された本発明の要旨の範囲内において、種々の変形、変更が可能である。
【図面の簡単な説明】
【００４７】
【図１】本発明に係る画像形成装置の構成図である。
【図２】制御装置のハードウェア構成図である。
【図３】複数色のトナー像が転写された中間転写体が、再度感光体から転写されることなく、感光体からトナー像を転写された位置を通過するときの処理の一例を示すフローチャートである。
【図４】潜像形成パターンを変更する処理についての説明図である。
【図５】ユーザが選択したトナーを最後に感光体１上に形成する処理についての説明図である。
【図６】中間転写体５に熱を供給する処理についての説明図である。
【図７】中間転写体５の張力を増加させる処理についての説明図である。
【図８】駆動ローラ７ａを移動させる移動装置７０の説明図である。
【図９】中間転写体５の張力を増加させる処理の変形例についての説明図である。
【符号の説明】
【００４８】
１                      感光体
２                      帯電ローラ
３                      潜像形成装置
４                      現像ロータリーユニット
４ａ、４ｂ、４ｃ、４ｄ  現像装置
５                      中間転写体
６ａ                    １次転写位置
６ｂ                    ２次転写位置
７ａ                    駆動ローラ
７ｂ、７ｃ              従動ローラ
８                      １次転写ローラ
９、１２                高圧電源
１０                    クリーニング装置
１１                    ２次転写ローラ
２０                    制御装置
２０１                  ＣＰＵ
２０２                  ＲＯＭ
２０３                  ＲＡＭ
２０４                  出力インターフェース
２０５                  入力インターフェース
【図１】
2007086382.tif 000003
【図２】
2007086382.tif 000004
【図３】
2007086382.tif 000005
【図４】
2007086382.tif 000006
【図５】
2007086382.tif 000007
【図６】
2007086382.tif 000008
【図７】
2007086382.tif 000009
【図８】
2007086382.tif 000010
【図９】
2007086382.tif 000011